【手続補正書】
【提出日】平成15年11月5日(2003.11.5)
【手続補正１】
【補正対象書類名】特許請求の範囲
【補正対象項目名】全文
【補正方法】変更
【補正の内容】
【特許請求の範囲】
【請求項１】
光学遅延線（１９０）であって、
相互に光学的にコミュニケーションする複数の光学素子（１００, １１０, １２０, １２５, １３０, １４０, １５０）を有しており、
当該複数の光学素子のうちの少なくとも１つ（１２０）は、光信号のスペクトルを空間的に分散させて、空間的に分散された光信号を形成し、
前記複数の光学素子のうちの少なくとも１つ（１４０）は調整可能であり、光信号の位相遅延および群遅延の１つまたは複数に影響を与える形式のものにおいて、
前記複数の光学素子のうちの少なくとも１つ（１２５）は、他の光学素子によって光信号内に導入された偏光を補正する、
ことを特徴とする光学遅延線。
【請求項２】
少なくとも１つの調整可能な光学素子は繰り返し走査して、光学群遅延および時間で変わる光学位相遅延を変化させる、請求項１記載の光学遅延線。
【請求項３】
前記空間的分散素子は回折性素子（１２０）を含む、請求項１または２記載の光学遅延線。
【請求項４】
前記調整可能な光学素子はミラー（１４０）を含む、請求項１から３までのいずれか１項記載の光学遅延線。
【請求項５】
前記ミラー（１４０）は回転機構によって回転させられる、請求項４記載の光学遅延線。
【請求項６】
前記回転機構は検流計を含む、請求項５記載の光学遅延線。
【請求項７】
前記調整可能な光学素子は回転多角形ミラーを含む、請求項１から６までのいずれか１項記載の光学遅延線。
【請求項８】
前記複数の光学素子のうちの少なくとも１つは重行路ミラーである、請求項４記載の光学遅延線。
【請求項９】
光学遅延線（２９０）であって、
コリメーターレンズ系（１１０）と、
当該コリメーターレンズ系からの放射出力を受け取るように配置された格子（１５０）と、
当該格子によって回折された放射の少なくとも一部を受け取るように配置されたコレクターレンズ系（１３０）と、
実質的に当該コレクターレンズ系の後焦点面に配置された回転可能なミラー（１４０）と、
前記格子によって回折された放射の少なくとも一部を反射するように配置された反射器（１５０）と、
当該光学遅延線を通過する放射の経路内に配置された偏光補償窓（１２５）を有している、
ことを特徴とする光学遅延線。
【請求項１０】
前記コリメーターレンズ系（１１０）、前記反射器（１５０）および光ファイバーの出力端部（１００）がユニット（１８５）に固定され、
当該ユニットは移動機構によって動かされる、請求項９記載の光学遅延線。
【請求項１１】
光学遅延線（２９０）であって、
コリメーターレンズ系（１１０）と、
当該コリメーターレンズ系からの放射出力を受け取るように配置された格子（１５０）と、
当該格子によって回折された放射の少なくとも一部を受け取るように配置されたコレクターレンズ系（１３０）と、
実質的に当該コレクターレンズ系の後焦点面に配置された回転可能なミラー（１４０）と、
前記格子によって回折された放射の少なくとも一部を反射するように配置された反射器（１５０）を有しており、
前記コリメーターレンズ系、前記反射器および光ファイバーの出力端部がユニット（１８５）に固定され、
当該ユニットは移動機構によって動かされる、
ことを特徴とする光学遅延線。
【請求項１２】
サンプルを結像する結像システムであって、
光学スペクトルを有する光信号を形成する光源と、
当該光源とコミュニケーションする干渉計と、
当該干渉計と光学的にコミュニケーションする検出器と、
相互に光学的にコミュニケーションする複数の光学素子（１００, １１０, １２０,  １３０, １４０, １５０, １２５）を有する、干渉計と光学的にコミュニケーションする光学遅延線（１９０, ２９０）を有しており、
ここで（ｉ）複数の光学素子の少なくとも１つ（１２０）は光信号のスペクトルを空間的に分散させて、空間的に分散された光信号を形成し、
（ｉｉ）前記複数の光学素子のうちの少なくとも１つ（１４０）は調整可能であり、光信号の位相遅延および群遅延の１つまたは複数に影響を与え、
（ｉｉｉ）前記複数の光学素子のうちの少なくとも１つ（１２５）は、他の光学素子によって光信号内に導入された偏光を補正する、
ことを特徴とする結像システム。
【請求項１３】
少なくとも１つの調整可能な光学素子は繰り返し走査して、光学群遅延および時間で変化する光学位相遅延を変化させる、請求項１２記載の結像システム。
【請求項１４】
検出器と電気的にコミュニケーションする信号処理ユニットを有しており、ここで調整可能な光学素子は繰り返し走査され、
前記信号処理ユニットは位相遅延の変化のあらゆる均一でないレートを補償する、請求項１３記載のシステム。
【請求項１５】
前記空間的分散素子は回折性素子（１２０）を有している、請求項１２から１４までのいずれか１項記載の結像システム。
【請求項１６】
前記光学遅延線と光学的にコミュニケーションする音響−光学変調器を有している、請求項１２から１５までのいずれか１項記載の結像システム。
【請求項１７】
前記光学遅延線と光学的にコミュニケーションする電器−光学ビーム偏向器を有している、請求項１２から１６までのいずれか１項記載の結像システム。
【請求項１８】
前記調整可能な光学素子は多角形走査ミラーを有している、請求項１２から１７までのいずれか１項記載の結像システム。
【請求項１９】
前記空間的分散素子は調整可能な周期を有する周期性光学構造を有しており、該空間的分散素子は光信号を角度的に分散させる、請求項１２から１８までのいずれか１項記載の結像システム。
【請求項２０】
前記複数の光学素子のうちの少なくとも１つは重行路ミラーである、請求項１２から１９までのいずれか１項記載の結像システム。
【請求項２１】
走査光コヒーレンストモグラフィ結像システムであって、
光学スペクトルを有する光信号を形成する光源と、
当該光源とコミュニケーションする干渉計と、
当該干渉計と光学的にコミュニケーションする検出器と、
当該検出器と電気的にコミュニケーションする信号処理部と、
前記干渉計と光学的にコミュニケーションする、光学素子から成る光学遅延線（１９０, ２９０）を有しており、
ここで（ｉ）前記光学素子の少なくとも１つ（１２０）は光信号を空間的に分散させ、
（ｉｉ）少なくとも１つの光学素子（１２５）は、他の光学素子によって光信号内に挿入された偏光を補正し、
当該光学遅延線は、光学素子のうちの少なくとも１つ（１４０）を調整して光学群遅延をコントロールする走査デバイスを有しており、
ここで（ｉ）前記干渉計は遅延された光信号を、サンプルによって散乱された光信号の一部と干渉によって結びつけ、
（ｉｉ）前記検出器は、干渉によって結合された信号を検出して、それに応じて１つまたは複数の実質的に０周波数ヘテロダイン信号および実質的に０でない周波数ヘテロダイン信号を形成し、
（ｃ）前記信号処理部はサンプルのイメージを０周波数ヘテロダイン信号または０でない周波数ヘテロダイン信号それぞれに応じて形成する、
ことを特徴とする、走査光コヒーレンストモグラフィ結像システム。
【請求項２２】
サンプルを結像する結像システムであって、
光学スペクトルを有する光信号を形成する光源と、
当該光源とコミュニケーションする干渉計と、
当該干渉計と光学的にコミュニケーションする検出器と、
光学遅延線を有しており、ここで当該光学遅延線は、
（ｉ）コリメーターレンズ系（１１０）と、
（ｉｉ）当該コリメーターレンズ系からの放射出力を受け取るように配置された格子（１２０）と、
（ｉｉｉ）当該格子（１２０）によって回折された放射の少なくとも一部を受け取るように配置されたコレクターレンズ系（１３０）と、
（ｉｖ）当該コレクターレンズ系（１３０）のほぼ後焦点面に配置された回転可能なミラー（１４０）と、
（ｖ）前記格子（１２０）によって回折された放射の少なくとも一部を反射するように配置された反射器（１５０）を有しており、
前記コリメーターレンズ系（１１０）、前記反射器（１５０）および光ファイバーの出力端部（１１０）は、ユニット（１８５）に固定されており、当該ユニットは移動機構によって動かされる、
ことを特徴とする結像システム。